(57)【要約】【課題】この発明は、ＨＤＭＩ規格に準拠したデジタル伝送システムにおいて、受信したデジタル映像信号の形態に応じた信号処理を行なって、正常な映像表示を行なえるようにした映像信号受信装置及び映像信号受信方法を提供することを目的としている。【解決手段】ＨＤＭＩ規格に準拠したデジタル信号を受信する受信手段１８と、受信されたデジタル信号から映像成分と音声成分とを分離するもので、受信されたデジタル映像信号がＲＧＢ信号かＹＣｂＣｒ信号かを判別し、その判別結果に応じて設定を変更するＨＤＭＩレシーバ１９ａと、ＨＤＭＩレシーバ１９ａで分離された映像信号と音声信号とにそれぞれデコード処理を施して、アナログの映像信号と音声信号とを復元する信号処理手段１９ｂ，１９ｃもしくは、信号処理手段１９ｂ，１９ｃの機能を一方もしくは両方有するＨＤＭＩレシーバ１９ａと、ＨＤＭＩレシーバ１９ａの設定を操作によって変更可能とする制御手段２６〜２９とを備える。【選択図】    図１
2005333472.tif 000002
【特許請求の範囲】
【請求項１】
ＨＤＭＩ規格に準拠したデジタル信号を受信する受信手段と、
前記受信手段で受信されたデジタル信号から映像成分と音声成分とを分離するもので、受信されたデジタル映像信号がＲＧＢ信号かＹＣｂＣｒ信号かを判別し、その判別結果に応じて設定を変更するＨＤＭＩレシーバと、
前記ＨＤＭＩレシーバで分離された映像信号と音声信号とをそれぞれアナログの映像信号と音声信号とに復元する信号処理手段と、
前記ＨＤＭＩレシーバの設定を操作によって変更可能とする制御手段とを具備したことを特徴とする映像信号受信装置。
【請求項２】
前記ＨＤＭＩレシーバは、前記受信手段で受信されたデジタル信号に含まれるinfoデータ内の識別情報に基づいて、受信されたデジタル映像信号がＲＧＢ信号かＹＣｂＣｒ信号かを判別することを特徴とする請求項１記載の映像信号受信装置。
【請求項３】
前記ＨＤＭＩレシーバは、
受信されたデジタル映像信号がデジタルＲＧＢ信号であると判断された場合、そのデジタルＲＧＢ信号の信号処理に対応するように内部設定を自動的に変更し、
受信されたデジタル映像信号がデジタルＹＣｂＣｒ信号であると判断された場合、そのデジタルＹＣｂＣｒ信号の信号処理に対応するように内部設定を自動的に変更することを特徴とする請求項１記載の映像信号受信装置。
【請求項４】
前記制御手段による前記ＨＤＭＩレシーバの設定の変更は、前記ＨＤＭＩレシーバが自動的に変更した設定に優先することを特徴とする請求項１記載の映像信号受信装置。
【請求項５】
所定期間にデジタル音声信号が多重化されたデジタル信号を受信する受信手段と、
前記受信手段で受信されたデジタル信号から映像成分と音声成分とを分離するもので、受信されたデジタル映像信号がＲＧＢ信号かＹＣｂＣｒ信号かを判別し、その判別結果に応じて設定を変更する分離手段と、
前記分離手段で分離された映像信号と音声信号とをそれぞれアナログの映像信号と音声信号とに復元する信号処理手段と、
前記分離手段の設定を操作によって変更可能とする制御手段とを具備したことを特徴とする映像信号受信装置。
【請求項６】
テレビジョン放送信号を受信する第１の受信手段と、
前記第１の受信手段で受信されたテレビジョン放送信号から所定のチャンネルの信号を選局して、アナログの映像信号と音声信号とを復元する第１の信号処理手段と、
ＨＤＭＩ規格に準拠したデジタル信号を受信する第２の受信手段と、
前記第２の受信手段で受信されたデジタル信号から映像成分と音声成分とを分離するもので、受信されたデジタル映像信号がＲＧＢ信号かＹＣｂＣｒ信号かを判別し、その判別結果に応じて設定を変更するＨＤＭＩレシーバと、
前記ＨＤＭＩレシーバで分離された映像信号と音声信号とをそれぞれアナログの映像信号と音声信号とに復元する第２の信号処理手段と、
前記第１の信号処理手段で復元されたアナログの映像信号及び音声信号と、前記第２の信号処理手段で復元されたアナログの映像信号及び音声信号とを、選択的に切り替えて出力する選択手段と、
前記ＨＤＭＩレシーバの設定を操作によって変更可能とする制御手段とを具備したことを特徴とする映像信号受信装置。
【請求項７】
ＨＤＭＩ規格に準拠したデジタル信号を受信する第１の工程と、
受信されたデジタル信号から映像成分と音声成分とを分離するＨＤＭＩレシーバに対して、受信されたデジタル映像信号がＲＧＢ信号かＹＣｂＣｒ信号かを判別し、その判別結果に応じて設定を変更する第２の工程と、
分離された映像信号と音声信号とをそれぞれアナログの映像信号と音声信号とに復元する第３の工程と、
前記ＨＤＭＩレシーバの設定を操作によって変更可能とする第４の工程とを具備したことを特徴とする映像信号受信方法。
【請求項８】
前記第２の工程は、受信されたデジタル信号に含まれるinfoデータ内の識別情報に基づいて、受信されたデジタル映像信号がＲＧＢ信号かＹＣｂＣｒ信号かを判別することを特徴とする請求項７記載の映像信号受信方法。
【請求項９】
前記第２の工程は、
受信されたデジタル映像信号がデジタルＲＧＢ信号であると判断された場合、そのデジタルＲＧＢ信号の信号処理に対応するように前記ＨＤＭＩレシーバの内部設定を自動的に変更する工程と、
受信されたデジタル映像信号がデジタルＹＣｂＣｒ信号であると判断された場合、そのデジタルＹＣｂＣｒ信号の信号処理に対応するように前記ＨＤＭＩレシーバの内部設定を自動的に変更する工程とを具備したことを特徴とする請求項７記載の映像信号受信方法。
【請求項１０】
前記第４の工程による前記ＨＤＭＩレシーバの設定の変更は、前記第２の工程で変更した設定に優先することを特徴とする請求項７記載の映像信号受信方法。
【発明の詳細な説明】
【技術分野】
【０００１】
この発明は、所定期間にデジタル音声信号が多重化されたデジタル映像信号を伝送する規格化されたデジタル伝送システムに係り、特にその伝送されたデジタル映像信号を受信する映像信号受信装置及び映像信号受信方法に関する。
【背景技術】
【０００２】
周知のように、デジタル映像信号を伝送するための規格として、ＤＶＩ（Digital Visual Interface）規格が普及している。そして、近年では、このＤＶＩ規格をさらに改良したデジタル信号伝送規格として、ＨＤＭＩ（High Definition Multimedia Interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（Universal Serial Bus）ライクの小型のＨＤＭＩコネクタで接続することが可能であること等々、ＤＶＩ規格にない種々の規定が盛り込まれている。
【０００４】
このため、このＨＤＭＩ規格に準拠してデジタル伝送システムを構築する際には、ＤＶＩ規格に準拠する伝送システムにはなかった様々な点を考慮する必要が生じる。例えば、ＨＤＭＩ規格では、映像信号をデジタルＲＧＢ信号とデジタルＹＣｂＣｒまたはＹＰｂＰｒ信号との２種類の形態で伝送可能であることから、受信機側では、受信された映像信号の形態に応じた信号処理を行なって、映像表示が正しく行なえるように対処する必要が生じる。
【０００５】
特許文献１には、ＤＶＩ規格に準拠したシステムにおいて、シンクデバイス側からソースデバイス側を制御するようにした構成が開示されている。しかしながら、この特許文献１には、ＨＤＭＩ規格に準拠したデジタル伝送システムにおいて、受信機側で２種類の形態のデジタル映像信号に対処することについては、何らの記載もなされていないものである。
【特許文献１】特開２００２−３１４９７０号公報
【発明の開示】
【発明が解決しようとする課題】
【０００６】
そこで、この発明は上記事情を考慮してなされたもので、ＨＤＭＩ規格に準拠したデジタル伝送システムにおいて、受信したデジタル映像信号の形態に応じた信号処理を行なって、正常な映像表示を行なえるようにした映像信号受信装置及び映像信号受信方法を提供することを目的とする。
【課題を解決するための手段】
【０００７】
この発明に係る映像信号受信装置は、ＨＤＭＩ規格に準拠したデジタル信号を受信する受信手段と、受信手段で受信されたデジタル信号から映像成分と音声成分とを分離するもので、受信されたデジタル映像信号がＲＧＢ信号かＹＣｂＣｒ信号かを判別し、その判別結果に応じて設定を変更するＨＤＭＩレシーバと、ＨＤＭＩレシーバで分離された映像信号と音声信号とをそれぞれアナログの映像信号と音声信号とに復元する信号処理手段と、ＨＤＭＩレシーバの設定を操作によって変更可能とする制御手段とを備えるようにしたものである。
【０００８】
また、この発明に係る映像信号受信方法は、ＨＤＭＩ規格に準拠したデジタル信号を受信する第１の工程と、受信されたデジタル信号から映像成分と音声成分とを分離するＨＤＭＩレシーバに対して、受信されたデジタル映像信号がＲＧＢ信号かＹＣｂＣｒ信号かを判別し、その判別結果に応じて設定を変更する第２の工程と、分離された映像信号と音声信号とをそれぞれアナログの映像信号と音声信号とに復元する第３の工程と、ＨＤＭＩレシーバの設定を操作によって変更可能とする第４の工程とを備えるようにしたものである。
【発明の効果】
【０００９】
上記した発明によれば、受信されたデジタル信号に基づいてＲＧＢ信号かＹＣｂＣｒ信号かが正常に判別されている状態においては、その判別結果に基づいてＨＤＭＩレシーバの設定を自動的に変更し、ＲＧＢ信号かＹＣｂＣｒ信号かが判別不可能な場合は、ユーザが手動操作によってＨＤＭＩレシーバの設定を変更することができるようにしたので、常に、受信したデジタル映像信号の形態に応じた信号処理を行なって、正常な映像表示を行なうことが可能となる。
【発明を実施するための最良の形態】
【００１０】
以下、この発明の実施の形態について図面を参照して詳細に説明する。図１は、この実施の形態で説明する映像信号受信装置１１を示している。この映像信号受信装置１１は、テレビジョン放送信号を受信する機能と、ＨＤＭＩ規格に準拠したデジタル映像信号を受信する機能とを有している。
【００１１】
すなわち、テレビジョン放送信号は、アンテナ１２で受信され、ＴＶ（television）入力端子１３を介してテレビジョン信号処理部１４に供給される。このテレビジョン信号処理部１４は、チューナ部１４ａと信号処理部１４ｂとを有している。
【００１２】
そして、上記ＴＶ入力端子１３に入力されたテレビジョン放送信号は、チューナ部１４ａに供給されて所定のチャンネルの信号が抽出される。その後、チューナ部１４ａの出力信号は、信号処理部１４ｂに供給されてアナログの映像信号Ｖ１と音声信号Ａ１とに復元され、セレクタ１５に出力される。
【００１３】
また、外部機器１６からＨＤＭＩ規格に準拠したデジタル伝送バス１７を介して供給されるデジタル映像信号は、ＨＤＭＩ入力端子１８で受信され、ＨＤＭＩ信号処理部１９に供給される。このＨＤＭＩ信号処理部１９は、ＨＤＭＩレシーバ１９ａと映像処理部１９ｂと音声処理部１９ｃとを有している。
【００１４】
そして、上記ＨＤＭＩ入力端子１８で受信されたＨＤＭＩ規格のデジタル映像信号は、ＨＤＭＩレシーバ１９ａに供給される。このＨＤＭＩレシーバ１９ａは、入力されたデジタル映像信号を映像成分と音声成分とに分離し、映像成分に対してはＭＰＥＧ（Moving Picture Experts Group）デコード処理を施して出力する。このうち、映像成分は、映像処理部１９ｂに供給されてされ、アナログの映像信号Ｖ２に復元される。
【００１５】
また、ＨＤＭＩレシーバ１９ａで分離された音声成分は、音声処理部１９ｃに供給されてリニアＰＣＭ（Pulse Code Modulation）デコード処理が施され、アナログの音声信号Ａ２に復元される。そして、映像処理部１９ｂ及び音声処理部１９ｃから出力されたアナログの映像信号Ｖ２及び音声信号Ａ２は、上記セレクタ１５に供給される。
【００１６】
なお、上記ＨＤＭＩレシーバ１９ａにおいて、入力されたデジタル映像信号を映像成分と音声成分とに分離し、映像処理部１９ｂにおいて映像成分にデコード処理を施してアナログの映像信号を復元し、音声処理部１９ｃにおいて音声成分にデコード処理を施してアナログの音声信号を復元する構成も実現可能である。
【００１７】
また、ＨＤＭＩレシーバ１９ａにおいて、入力されたデジタル映像信号を映像成分と音声成分とに分離するとともに、映像成分及び音声成分にそれぞれデコード処理を施し、映像処理部１９ｂにおいてアナログの映像信号を復元し、音声処理部１９ｃにおいてアナログの音声信号を復元する構成も実現可能である。
【００１８】
さらに、ＨＤＭＩレシーバ１９ａにおいて、入力されたデジタル映像信号を映像成分と音声成分とに分離するとともに、音声成分にデコード処理を施し、映像処理部１９ｂにおいて映像成分にデコード処理を施してアナログの映像信号を復元し、音声処理部１９ｃにおいてアナログの音声信号を復元する構成も実現可能である。
【００１９】
ここで、セレクタ１５は、テレビジョン信号処理部１４から出力されたアナログの映像信号Ｖ１及び音声信号Ａ１と、ＨＤＭＩ信号処理部１９から出力されたアナログの映像信号Ｖ２及び音声信号Ａ２とを、選択的に切り替えて表示駆動部２０及び音声駆動部２１にに導出する機能を有する。
【００２０】
そして、表示駆動部２０に供給された映像信号Ｖ１またはＶ２は、映像表示のために必要な信号処理が施された後、映像出力端子２２を介して映像表示部２３に供給されて映像表示される。また、音声駆動部２１に供給された音声信号Ａ１またはＡ２は、音声再生のために必要な信号処理が施された後、音声出力端子２４を介してスピーカ２５に供給されて音声再生に供される。
【００２１】
ここで、この映像信号受信装置１１は、上記した各種の受信動作を含むその全ての動作を制御部２６によって統括的に制御されている。この制御部２６は、ＣＰＵ（Central Processing Unit）等を内蔵しており、操作部２７からの操作情報を受け、または、リモートコントローラ２８から送出された操作情報を受信部２９を介して受信し、その操作内容が反映されるように各部をそれぞれ制御している。
【００２２】
この場合、制御部２６は、メモリ部３０を利用している。すなわち、このメモリ部３０は、主として、制御部２６のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２３】
なお、ＨＤＭＩ規格では、デジタル映像信号を所定のパケット単位に分割して伝送しており、各パケットにその属性を示すinfoデータを付加している。このinfoデータには、伝送している映像信号がデジタルＲＧＢ信号であるかデジタルＹＣｂＣｒ（またはＹＰｂＰｒ）信号であるかを示す識別情報が含まれている。
【００２４】
ここで、デジタルＹＣｂＣｒ信号とデジタルＹＰｂＰｒ信号とは、画質が異なるだけであって、デジタルＲＧＢ信号と区別するという点においては同じ形態に属する信号であるため、以下、デジタルＹＣｂＣｒ信号と記述した場合には、デジタルＹＰｂＰｒ信号と読み替えることができるものとする。
【００２５】
そして、上記ＨＤＭＩ信号処理部１９を構成するＨＤＭＩレシーバ１９ａでは、infoデータ内の識別情報に基づいて、映像信号がデジタルＲＧＢ信号であるかデジタルＹＣｂＣｒ信号であるかを自動的に判別し、その判別結果に対応した信号処理を行なえるように内部設定を変更して、正常な映像表示を行なうようにしている。
【００２６】
ここで、デジタルＲＧＢ信号に対応した信号処理、または、デジタルＹＣｂＣｒ信号に対応した信号処理を行なうようにＨＤＭＩレシーバ１９ａの内部設定を変更することは、ユーザが前記操作部２７またはリモートコントローラ２８の所定のキーを操作することにより、手動でも行なうことができるようになっている。
【００２７】
図２は、上記した映像信号受信装置１１の全体的な動作をまとめたフローチャートを示している。まず、開始（ステップＳ１）され、ステップＳ２で電源が投入されると、制御部２６は、ステップＳ３で、いずれの受信機能が選択されたかを判別する。
【００２８】
この場合、テレビジョン放送信号の受信が選択されると、制御部２６は、ステップＳ４で、テレビジョン信号処理部１４を制御するとともに、このテレビジョン信号処理部１４から出力されるアナログの映像信号Ｖ１及び音声信号Ａ１を選択するようにセレクタ１５を制御して、処理を終了（ステップＳ５）する。
【００２９】
また、上記ステップＳ３でＨＤＭＩ規格に準拠したデジタル映像信号の受信が選択されると、制御部２６は、ステップＳ６で、ＨＤＭＩ信号処理部１９を制御するとともに、このＨＤＭＩ信号処理部１９から出力されるアナログの映像及び音声信号を選択するようにセレクタ１５を制御して、処理を終了（ステップＳ５）する。
【００３０】
図３は、ＨＤＭＩ規格に準拠したデジタル映像信号の受信が選択された場合において、受信した映像信号がデジタルＲＧＢ信号であるかデジタルＹＣｂＣｒ信号であるかに応じて、ＨＤＭＩレシーバ１９ａの設定を変更する動作をまとめたフローチャートを示している。
【００３１】
まず、開始（ステップＳ１１）されると、ＨＤＭＩレシーバ１９ａは、ステップＳ１２で、受信信号からinfoデータが正常に得られたか否かを判別する。そして、infoデータが正常に得られたと判断された場合（ＹＥＳ）、ＨＤＭＩレシーバ１９ａは、ステップＳ１３で、infoデータ内の識別情報に基づいて、受信している映像信号がデジタルＲＧＢ信号であるか否かを判別する。
【００３２】
ここで、デジタルＲＧＢ信号であると判断された場合（ＹＥＳ）、ＨＤＭＩレシーバ１９ａは、ステップＳ１４で、デジタルＲＧＢ信号の信号処理に対応するように内部設定を変更する。
【００３３】
また、上記ステップＳ１３でデジタルＲＧＢ信号でないと判断された場合（ＹＥＳ）、ＨＤＭＩレシーバ１９ａは、受信している映像信号がデジタルＹＣｂＣｒ信号であると判断し、ステップＳ１５で、デジタルＹＣｂＣｒ信号の信号処理に対応するように内部設定を変更する。
【００３４】
一方、上記ステップＳ１２において、受信状態が劣化してinfoデータが欠損する等の理由により、infoデータが正常に得られない、または、infoデータが存在しないと判断された場合（ＮＯ）、ＨＤＭＩレシーバ１９ａは、ステップＳ１６で、受信信号がＤＶＩ規格に準拠したデジタル映像信号であるか否かを判別する。
【００３５】
そして、ＤＶＩ規格に準拠したデジタル映像信号であると判断された場合（ＹＥＳ）、ＨＤＭＩレシーバ１９ａは、ＤＶＩ規格では映像信号はデジタルＲＧＢ信号の形態しか存在しないことから、ステップＳ１４で、デジタルＲＧＢ信号の信号処理に対応するように内部設定を変更する。
【００３６】
また、上記ステップＳ１６でＤＶＩ規格に準拠したデジタル映像信号でないと判断された場合（ＮＯ）、ＨＤＭＩレシーバ１９ａは、受信している映像信号がデジタルＲＧＢ信号であるかデジタルＹＣｂＣｒ信号であるかを、もはや自動的に判別することができない状態となっている。
【００３７】
そこで、上記ステップＳ１６でＤＶＩ規格に準拠したデジタル映像信号でないと判断された場合（ＮＯ）、または、上記ステップＳ１４，Ｓ１５の後におけるステップＳ１７において、ユーザが表示された映像を見て、正常な映像表示が行なわれているか否かを判別するようにしている。
【００３８】
そして、ユーザが正常に映像表示されていると判断した場合（ＹＥＳ）には、ＨＤＭＩレシーバ１９ａの設定を現状のままとして、処理を終了（ステップＳ１９）する。
【００３９】
また、ユーザが正常に映像表示されていないと判断した場合（ＮＯ）には、ステップＳ１８において、ユーザが操作部２７またはリモートコントローラ２８の所定のキーを操作することにより、ＨＤＭＩレシーバ１９ａの内部設定を手動で変更して、処理を終了（ステップＳ１９）する。
【００４０】
この場合、手動によるＨＤＭＩレシーバ１９ａの内部設定の変更は、上記ステップＳ１４またはＳ１５による設定に優先する。このため、例えば、ステップＳ１２，Ｓ１３，Ｓ１６等で誤った判別が行なわれたとしても、最終的にユーザが表示映像を見て正しい設定を選択し、正常な映像表示を行なうことができる。
【００４１】
上記した実施の形態によれば、受信信号からinfoデータが正常に得られている状態においては、そのinfoデータ内の識別情報に基づいてＨＤＭＩレシーバ１９ａの内部設定を自動的に変更し、infoデータが正常に得られない場合は、ユーザが手動でＨＤＭＩレシーバ１９ａの内部設定を変更することができるようにしたので、常に、受信したデジタル映像信号の形態に応じた信号処理を行なって、正常な映像表示を行なうことが可能となる。
【００４２】
また、上記した実施の形態において、映像信号受信装置１１としては、映像表示部２３及びスピーカ２５を含めて、例えば、ＣＲＴ（Cathode Ray Tube）を用いたテレビジョン放送受信機、液晶画面を用いたテレビジョン放送受信機、投射型の映像表示装置等が考えられる。
【００４３】
さらに、この映像信号受信装置１１に、ＨＤＭＩ規格に準拠したデジタル映像信号を供給する外部機器１６としては、例えば、ＤＶＤ（Digital Versatile Disk）プレーヤ、Ｄ（Digital）−ＶＨＳ（Video Home System）レコーダ、セットトップボックス、デジタルビデオカメラ等が考えられる。
【００４４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００４５】
【図１】この発明の実施の形態を示すもので、映像信号受信装置を説明するために示すブロック構成図。
【図２】同映像信号受信装置における全体的な動作を説明するために示すフローチャート。
【図３】同映像信号受信装置におけるＨＤＭＩレシーバの設定を変更する動作を説明するために示すフローチャート。
【符号の説明】
【００４６】
１１…映像信号受信装置、１２…アンテナ、１３…ＴＶ入力端子、１４…テレビジョン信号処理部、１５…セレクタ、１６…外部機器、１７…デジタル伝送バス、１８…ＨＤＭＩ入力端子、１９…ＨＤＭＩ信号処理部、２０…表示駆動部、２１…音声駆動部、２２…映像出力端子、２３…映像表示部、２４…音声出力端子、２５…スピーカ、２６…制御部、２７…操作部、２８…リモートコントローラ、２９…受信部、３０…メモリ部。
【図１】
2005333472.tif 000003
【図２】
2005333472.tif 000004
【図３】
2005333472.tif 000005